【手続補正書】
【提出日】平成20年3月24日(2008.3.24)
【手続補正１】
【補正対象書類名】明細書
【補正対象項目名】特許請求の範囲
【補正方法】変更
【補正の内容】
【特許請求の範囲】
【請求項１】
画像を入力する画像入力部と、
前記画像入力部によって入力された画像中の特定領域を含む領域を決定する特定領域包含領域決定部と、
前記特定領域包含領域決定部によって決定された前記特定領域を含む領域を拡大して複数表示する画像表示部と、
前記画像表示部によって複数表示された前記特定領域を含む領域の中からユーザーが所望する画像を選択する画像選択部と、
を具備することを特徴とする画像選出支援装置。
【請求項２】
前記画像入力部によって入力された画像中の固有の特徴を有する領域を抽出する特徴領域抽出部と、
前記特徴領域抽出部によって抽出された領域が特定領域であるか否かを判定する特定領域特徴照合判定部と、
をさらに具備し、
前記特定領域包含領域決定部は、前記特定領域特徴照合判定部による判定の結果を参照して、前記特定領域を含む領域を決定することを特徴とする請求項１に記載の画像選出支援装置。
【請求項３】
前記特徴領域抽出部は、前記固有の特徴を有する領域として肌色領域を抽出し、
前記特定領域特徴照合判定部は、前記特徴領域抽出部によって抽出された肌色領域が顔の領域であるか否かを判定することで前記肌色領域が特定領域であるか否かを判定することを特徴とする請求項２に記載の画像選出支援装置。
【請求項４】
前記画像表示部は、前記特定領域を含む領域を拡大して複数表示すると共に、前記画像入力部によって入力された画像のうち前記特定領域を含む領域に対応する画像を縮小して複数表示することを特徴とする請求項１乃至３のいずれかに記載の画像選出支援装置。
【請求項５】
前記画像選択部によって選択された画像をメモリに格納する選択画像格納部をさらに具備することを特徴とする請求項１乃至４のいずれかに記載の画像選出支援装置。
【請求項６】
画像を意味のあるまとまりに分割する領域分割部と、
前記領域分割部によって分割された各領域の物理的な特徴量を抽出する特徴量抽出部と、
前記特徴量抽出部によって抽出された特徴量と他の画像の特徴量との類似性を判定する類似性判定部と、
前記類似性判定部によって類似していると判定された画像同士を近くに表示するように表示順位を決定してメモリに格納する画像の表示順位決定格納部と、
をさらに具備し、
前記画像表示部は、さらに、前記表示順位決定格納部によってメモリに格納されている画像の表示順位を読み出す画像表示順位読み出し部を具備することを特徴とする請求項１に記載の画像選出支援装置。
【請求項７】
画像を意味のあるまとまりに分割する領域分割部と、
前記領域分割部によって分割された各領域の物理的な特徴量を抽出する特徴量抽出部と、
前記領域分割部によって分割された各領域の写りの良し悪しを前記特徴量抽出部によって抽出された特徴量に基づいて判定する画像の写り具合評価部と、
前記画像の写り具合評価部によって評価された各領域の写りの良し悪しに応じて表示するように表示順位を決定してメモリに格納する画像の表示順位決定格納部と、
をさらに具備し、
前記画像表示部は、さらに、前記表示順位決定格納部によってメモリに格納されている画像の表示順位を読み出す画像表示順位読み出し部を具備することを特徴とする請求項１に記載の画像選出支援装置。
【請求項８】
画像の天地の向きを判定する向き判定部をさらに具備し、
前記画像表示部は、前記向き判定部の出力に基いて、画像を右または左に９０度回転させる画像回転変換部を具備することを特徴とする請求項１に記載の画像選出支援装置。
【請求項９】
画像を入力する画像入力ステップと、
前記画像入力ステップによって入力された画像中の特定領域を含む領域を決定する特定領域包含領域決定ステップと、
前記特定領域包含領域決定ステップによって決定された前記特定領域を含む領域を拡大して複数表示する画像表示ステップと、
を含むことを特徴とする画像選出支援方法。
【請求項１０】
画像を入力する画像入力ステップと、
前記画像入力ステップによって入力された画像中の特定領域を含む領域を決定する特定領域包含領域決定ステップと、
前記特定領域包含領域決定ステップによって決定された前記特定領域を含む領域を拡大して複数表示する画像表示ステップと、
をコンピュータに発揮させることを特徴とする画像選出支援プログラム。
【手続補正２】
【補正対象書類名】明細書
【補正対象項目名】００２１
【補正方法】変更
【補正の内容】
【００２１】
【課題を解決するための手段】
本発明によると、上記課題を解決するために、
（１）  画像を入力する画像入力部と、
前記画像入力部によって入力された画像中の特定領域を含む領域を決定する特定領域包含領域決定部と、
前記特定領域包含領域決定部によって決定された前記特定領域を含む領域を拡大して複数表示する画像表示部と、
前記画像表示部によって複数表示された前記特定領域を含む領域の中からユーザーが所望する画像を選択する画像選択部と、
を具備することを特徴とする画像選出支援装置が提供される。
【手続補正３】
【補正対象書類名】明細書
【補正対象項目名】００２２
【補正方法】変更
【補正の内容】
【００２２】
また、本発明によると、上記課題を解決するために、
（２）  前記画像入力部によって入力された画像中の固有の特徴を有する領域を抽出する特徴領域抽出部と、
前記特徴領域抽出部によって抽出された領域が特定領域であるか否かを判定する特定領域特徴照合判定部と、
をさらに具備し、
前記特定領域包含領域決定部は、前記特定領域特徴照合判定部による判定の結果を参照して、前記特定領域を含む領域を決定することを特徴とする（１）に記載の画像選出支援装置が提供される。
【手続補正４】
【補正対象書類名】明細書
【補正対象項目名】００２３
【補正方法】変更
【補正の内容】
【００２３】
また、本発明によると、上記課題を解決するために、
（３）  前記特徴領域抽出部は、前記固有の特徴を有する領域として肌色領域を抽出し、
前記特定領域特徴照合判定部は、前記特徴領域抽出部によって抽出された肌色領域が顔の領域であるか否かを判定することで前記肌色領域が特定領域であるか否かを判定することを特徴とする（２）に記載の画像選出支援装置が提供される。
【手続補正５】
【補正対象書類名】明細書
【補正対象項目名】００２４
【補正方法】変更
【補正の内容】
【００２４】
また、本発明によると、上記課題を解決するために、
（４）  前記画像表示部は、前記特定領域を含む領域を拡大して複数表示すると共に、前記画像入力部によって入力された画像のうち前記特定領域を含む領域に対応する画像を縮小して複数表示することを特徴とする（１）乃至（３）のいずれかに記載の画像選出支援装置が提供される。
【手続補正６】
【補正対象書類名】明細書
【補正対象項目名】００２５
【補正方法】変更
【補正の内容】
【００２５】
また、本発明によると、上記課題を解決するために、
（５）  前記画像選択部によって選択された画像をメモリに格納する選択画像格納部をさらに具備することを特徴とする（１）乃至（４）のいずれかに記載の画像選出支援装置が提供される。
【手続補正７】
【補正対象書類名】明細書
【補正対象項目名】００２６
【補正方法】変更
【補正の内容】
【００２６】
また、本発明によると、上記課題を解決するために、
（６）  画像を意味のあるまとまりに分割する領域分割部と、
前記領域分割部によって分割された各領域の物理的な特徴量を抽出する特徴量抽出部と、
前記特徴量抽出部によって抽出された特徴量と他の画像の特徴量との類似性を判定する類似性判定部と、
前記類似性判定部によって類似していると判定された画像同士を近くに表示するように表示順位を決定してメモリに格納する画像の表示順位決定格納部と、
をさらに具備し、
前記画像表示部は、さらに、前記表示順位決定格納部によってメモリに格納されている画像の表示順位を読み出す画像表示順位読み出し部を具備することを特徴とする（１）に記載の画像選出支援装置が提供される。
また、本発明によると、上記課題を解決するために、
（７）  画像を意味のあるまとまりに分割する領域分割部と、
前記領域分割部によって分割された各領域の物理的な特徴量を抽出する特徴量抽出部と、
前記領域分割部によって分割された各領域の写りの良し悪しを前記特徴量抽出部によって抽出された特徴量に基づいて判定する画像の写り具合評価部と、
前記画像の写り具合評価部によって評価された各領域の写りの良し悪しに応じて表示するように表示順位を決定してメモリに格納する画像の表示順位決定格納部と、
をさらに具備し、
前記画像表示部は、さらに、前記表示順位決定格納部によってメモリに格納されている画像の表示順位を読み出す画像表示順位読み出し部を具備することを特徴とする（１）に記載の画像選出支援装置が提供される。
また、本発明によると、上記課題を解決するために、
（８）  画像の天地の向きを判定する向き判定部をさらに具備し、
前記画像表示部は、前記向き判定部の出力に基いて、画像を右または左に９０度回転させる画像回転変換部を具備することを特徴とする（１）に記載の画像選出支援装置が提供される。
また、本発明によると、上記課題を解決するために、
（９）  画像を入力する画像入力ステップと、
前記画像入力ステップによって入力された画像中の特定領域を含む領域を決定する特定領域包含領域決定ステップと、
前記特定領域包含領域決定ステップによって決定された前記特定領域を含む領域を拡大して複数表示する画像表示ステップと、
を含むことを特徴とする画像選出支援方法が提供される。
また、本発明によると、上記課題を解決するために、
（１０）  画像を入力する画像入力ステップと、
前記画像入力ステップによって入力された画像中の特定領域を含む領域を決定する特定領域包含領域決定ステップと、
前記特定領域包含領域決定ステップによって決定された前記特定領域を含む領域を拡大して複数表示する画像表示ステップと、
をコンピュータに発揮させることを特徴とする画像選出支援プログラムが提供される。